(57)【要約】  １つ以上の要素を有する装置を収容したパッケージである。パッケージは、装置上の同様の要素の１つ以上に対応した１つ以上の触覚要素を有する主面を含む。
2016539868.tif 000002
【特許請求の範囲】
【請求項１】
パッケージ（１００）であって、
ａ．外側表面（１４５）と内側表面（１４７）とを有する主面（１４０）と、
ｂ．前記内側表面（１４７）と対向した副面（１５０）であって、前記内側表面とキャビティー（４００）を画定する、副面（１５０）と、
ｃ．前記キャビティー内に収容された手持ち式装置（２００）であって、ヘッドユニット（２１０）と、前記ヘッドユニットに取り付け可能なハンドル（２２０）と、少なくとも１つの装置要素（２１２、２１４、２２２）とを含む、手持ち式装置（２００）と、を備え、
ｄ．前記外側表面が少なくとも１つのパッケージ触覚要素（３１２、３１４、３２２）を形成し、前記少なくとも１つのパッケージ触覚要素と前記少なくとも１つの装置要素とがほぼ同じ形状を有する、パッケージ。
【請求項２】
前記装置要素が前記ヘッドユニット上に配置されている、請求項１に記載のパッケージ。
【請求項３】
前記装置要素が、刃（２１４）、潤滑部材（２１２）、及びガード部材のうちの少なくとも１つを含む、請求項２にパッケージ。
【請求項４】
前記手持ち式装置がひげ剃り用カミソリを含む、請求項１に記載のパッケージ。
【請求項５】
前記装置要素が前記ハンドル上に配置されている、請求項１に記載のパッケージ。
【請求項６】
前記装置要素がグリップ要素（２２２）である、請求項５に記載のパッケージ。
【請求項７】
前記ハンドルが細長い棒状部材であり、前記触覚要素が前記棒状部材の少なくとも一部の周囲を包囲する、請求項５に記載のパッケージ。
【請求項８】
前記ハンドルが、前記に面する第１の表面（２２５）を有するディスク形状の基材を含み、前記装置触覚要素が第１の表面（２２５）上に配置されている、請求項５に記載のパッケージ。
【請求項９】
前記装置触覚要素が円弧状形状を有する、請求項５に記載のパッケージ。
【請求項１０】
前記ハンドルが細長い棒状部材であり、前記円弧状要素が前記棒状部材の少なくとも一部の周囲を包囲する、請求項９に記載のパッケージ。
【請求項１１】
前記ハンドルが、第１の表面を有するディスク形状の基材を含み、前記円弧状要素が第１の表面上に配置されている、請求項９に記載のパッケージ。
【請求項１２】
前記パッケージが、前記パッケージ内に収容された容器（５００）を更に備える、請求項１に記載のパッケージ。
【請求項１３】
前記ヘッドユニット（２１０）及び前記ハンドル（２２０）の少なくとも一方が前記容器内に収容されている、請求項１２に記載のパッケージ。
【請求項１４】
前記容器が透明ではない、請求項１２に記載のパッケージ。
【請求項１５】
前記少なくとも１つのパッケージ触覚要素が、エンボス加工、割れ目（crevice）、ラミネート、箔ラミネート、ホログラム、光沢印刷、レタリング、クロスハッチング又はモトリング、及びこれらの組み合わせからなる群から選択される、請求項１に記載のパッケージ。
【発明の詳細な説明】
【背景技術】
【０００１】
多くの種類のパッケージが市場に出回っている。小さな物品に使用される幾つかの種類の予め成形されたプラスチック包装を述べるのにブリスターパッケージという言葉が広く用いられている。ブリスターパック（「ブリスター」）の主な構成要素は、中身が見えるように透明であってよい、通常は熱成形されたプラスチックである成形可能な材料で形成されたキャビティー又はポケットである。ブリスターパッケージは、厚紙の台紙又はアルミ箔若しくはプラスチックの蓋となるシールを通常有している。
【０００２】
ブリスターパッケージは、ひげ剃り用カミソリを収容するために使用されてきた。ブリスター部分はしばしば、潜在的購入者が購入に先立って中身を見ることができるように透明となっている。ときとして、製造者は、消費者が製品の詳細を理解する更なる助けとなるようにカミソリの絵柄又は写真などの視覚的標示をブリスター上に配することがある。ブリスター上へのエンボス加工の付与についても一般的に記載されている。例えば、米国特許第７，７０４，５８３号、同第７，１２１，８２２号、及び同第６，８９０，４７２号を参照されたい。
【０００３】
公知の包装技術が使用されているものの、ブリスターに収容された製品及び／又は製品の特徴の消費者による認識性を向上させるためにブリスター及び他の種類のパッケージを更に改変することが依然求められている。
【先行技術文献】
【特許文献】
【０００４】
【特許文献１】米国特許第７，７０４，５８３号
【特許文献２】米国特許第７，１２１，８２２号
【特許文献３】米国特許第６，８９０，４７２号
【発明の概要】
【課題を解決するための手段】
【０００５】
本発明の一態様は、パッケージであって、外側表面と内側表面とを有する主面と；前記内側表面と対向した副面であって、前記内側表面とキャビティーを画定する、副面と；前記キャビティー内に収容された手持ち式装置であって、ヘッドユニットと、前記ヘッドユニットに取り付け可能なハンドルと、少なくとも１つの装置要素とを含む、手持ち式装置と；を備え、前記外側表面が少なくとも１つのパッケージ触覚要素を形成し、前記少なくとも１つのパッケージ触覚要素と前記少なくとも１つの装置要素とがほぼ同じ形状を有する、パッケージに関する。
【０００６】
本発明の別の態様は、パッケージであって、キャビティーを形成する外側表面と内側表面とを有する熱成形プラスチック層であって、外周リップを形成する、熱成形プラスチック層と；前記熱成形プラスチック層の前記内側表面と対向した支持基材であって、前記外周リップの少なくとも一部が前記支持基材に隣接する、支持基材と；前記キャビティー内に収容されたカミソリであって、カートリッジヘッドユニットと、前記カートリッジヘッドユニットに取り付け可能なハンドルとを含むカミソリと；を備え、前記外側表面が前記カートリッジヘッドユニット及び前記ハンドルの少なくとも一方とほぼ同じ形状を有する少なくとも１つのエンボス加工を形成する、パッケージを提供する。
【０００７】
本発明の更なる別の態様は、装置を収容するためのパッケージであって、少なくとも１つのパッケージ触覚要素を形成する主面すなわち消費者に面する面を備え、前記少なくとも１つのパッケージ触覚要素が、パッケージ内に収容することが可能な装置の少なくとも一部分と同じ形状を有する、パッケージを提供する。触覚要素は、装置の前記部分の一般的な２次元形状、同じ一般的な３次元形状を有してよく、更には同様の色付け又は表面処理を有することができる。本発明は、装置を収容したパッケージに限定されるものではなく、装置がその中に入れられる前のパッケージ自体も単純に含みうるものである。ブリスターパック及び他の広く用いられているパッケージ構造を本明細書に述べられるパッケージ触覚要素により改変して、本発明を実施することもできる。
【図面の簡単な説明】
【０００８】
【図１】本発明の少なくとも１つの実施形態に係るパッケージの正面図である。
【図２】Ａ−Ａ線に沿った、図１に示されるパッケージの断面図である。
【図３】本発明の少なくとも１つの実施形態に係る別のパッケージの正面図である。
【図４】Ｂ−Ｂ線に沿った、図１に示されるパッケージの断面図である。
【図５】ブラシヘッドを有する手持ち式装置を収容した本発明の別のパッケージの正面図を示す。
【図６】図５に示されるパッケージの背面図を示す。
【図７】図５に示されるパッケージの側面図を示す。
【図８】本発明の別のパッケージの正面図である。
【図９】図８に示されるパッケージの背面図を示す。
【図１０】図８に示されるパッケージの側面図を示す。
【発明を実施するための形態】
【０００９】
本発明は、ひげ剃り用カミソリなどの手持ち式装置を収容するためのパッケージに関する。本説明文では、かかるパッケージによって格納することができるひげ剃り用カミソリの特定の態様について検討するが、ハブラシ、化粧用具及びブラシ、電話機、筆記用具、ドライバー、懐中電灯、くし、携帯型電子機器などを含む（ただしこれらに限定されない）他の装置を格納するために同様の包装を使用することも可能である。同様に、同じ包装の発明の大型版を、掃除機、台所用品、及び玩具などのより大きな製品を収容するために使用することができる。
【００１０】
図１及び２は、本発明のパッケージ（１００）の正面図及びＡ−Ａ線に沿った同じパッケージの断面図を示す。パッケージ（１００）は、外側表面（１４５）と内側表面（１４７）とを有する主面（１４０）と；前記内側表面（１４７）と対向した副面（１５０）であって、前記内側表面とキャビティー（４００）を画定する、副面（１５０）と；前記キャビティー内に収容された手持ち式装置（２００）であって、ヘッドユニット（２１０）と、前記ヘッドユニットに取り付け可能なハンドル（２２０）と、少なくとも１つの装置要素（２１２、２１４、２２２）と、を含む、手持ち式装置（２００）と；を備え、前記外側表面は少なくとも１つのパッケージ触覚要素（３１２、３１４、３２２）を形成し、前記少なくとも１つのパッケージ触覚要素と前記少なくとも１つの装置要素とはほぼ同じ形状を有している。当業者には、主面とは、製品が棚に保管されるときに外側に面するパッケージの部分であることが理解されよう。この面は平坦であっても湾曲していてもよく、パッケージの１つ以上の部分で形成されうる（すなわち、面が、互いに合わさって面を形成することができる２つの折り重ねフラップで形成されるような場合など）。好ましくは、主面は、材料の１個の部分で形成され、消費者が棚の上の製品を見るときに見えるパッケージの最も外側の部分である。副面は、パッケージの後側の、通常は主面の反対側となる面である。当業者は、これら２つの面をパッケージの前面及びパッケージの背面として理解するであろう。
【００１１】
キャビティー内に装置が収容されるとき、装置はキャビティー内で自由に浮動することができるか、又は１つ以上の保持要素を用いて装置を固定することができる。一実施形態では、複数の装置をパッケージ内のキャビティーに入れることができる。別の実施形態では、１個の装置ハンドルと更に１乃至複数の装置ヘッドユニットがキャビティー内に収容される場合のように、装置の複数の構成要素がキャビティー内に収容される。
【００１２】
本明細書で使用するところの「同じ形状」とは、装置要素とパッケージ触覚要素とが同様の、又はまったく同じ２つの寸法形状を有することを意味する。当業者には、装置と主面とが異なる曲率を有し、異なる構造で構成されうることを考慮すれば、正確な寸法は異なりうることは認識されるであろう。同じ形状とは、両方の要素がそれぞれ装置及び主面から遠ざかる方向に延びる隆起した構造を形成する場合のように、両方の要素が同じ一般的な３次元形状を有することも意味しうる。一実施形態では、装置要素とパッケージ触覚要素とは、同様の色付け又は一般的な表面触感も共有する。幾つかの実施形態では、装置要素及びパッケージ触覚要素は、これらに限定されるものではないが、弾性材料、又はテクスチャー加工されたグリップ、ホログラムシールなどを含む同じ材料で形成することができる。複数の実施形態において、装置要素が３次元的な側面を有する場合（単なる図柄又は２次元デザインに留まらないもの）には、パッケージ触覚要素は３次元的に同じ形状を有することができる。本明細書で使用するところの要素とは、２次元的又は３次元的構造であってよく、触覚要素もまた、２次元又は３次元構造であってよいが、使用者によって触れられるときにその周囲の要素とは異なって見える、かつ／又は触感のするものである。２次元のパッケージ触覚要素の非限定的な例としては、ラミネート、箔ラミネート、光沢又はマット処理された印刷物、当該技術分野では周知の各種の表面処理又はテクスチャー加工、及びこれらの組み合わせが挙げられうる。３次元のパッケージ触覚要素の非限定的な例としては、エンボス加工、割れ目（crevice）、要素を包囲する環境に対して異なる固さ若しくは硬度を有する材料、モトリング、エラストマー要素、又は要素を包囲する環境に対する材料のあらゆる相違（プラスチックに対するエラストマー、セルロース系材料若しくは皮革といった組成上の相違であってもよく、又は外見上の相違以上の相違を有する表面仕上げの相違（消費者により又はＣｏＦ測定値によって測定することが可能な感覚の相違など）であってもよい）が挙げられうる。
【００１３】
図１のパッケージは、透明、半透明、又は不透明でありうる熱可塑性基材で主面が形成された、ブリスターパッケージと呼ぶことができるものである。他のパッケージも本発明のパッケージ触覚要素を有するように改変することができる。この熱可塑性基材は、多くの場合厚紙又はプラスチック製の台紙又は他の半剛性の基材である副面に接着される（接着剤又は熱シールなどにより）。一実施形態では、主面は、副面に機能的に連結されることでパッケージを形成する助けとなっているが、これは、主面と副面とを直接的に接着又は結合することによって実現されるか、又は２つの面同士を中間の側壁を介して取り付けることができる。
【００１４】
この実施形態では、手持ち式装置は、カミソリカートリッジヘッドユニット（２１０）とハンドル（２２０）とを備えるひげ剃り用カミソリである。ヘッドユニットは、永久的又は着脱可能にハンドルに取り付けられうる。装置内に収容されるとき、ヘッドユニットは取り付けられているか、又は取り付けられていない位置であってよく、必要に応じて個々の包装紙又はカップに入れられてもよい。本発明に基づいて使用することが可能な適当なひげ剃り用カミソリの非限定的な例としては、Ｇｉｌｌｅｔｔｅ（登録商標）、Ｇｉｌｌｅｔｔｅ  Ｖｅｎｕｓ（登録商標）より、Ｍａｃｈ  ３（登録商標）、Ｆｕｓｉｏｎ（登録商標）、Ｅｍｂｒａｃｅ（登録商標）、Ｂｒｅｅｚｅ（登録商標）、Ｖｅｎｕｓ＆Ｏｌａｙ（登録商標）ファミリーのカミソリとして現在市販されているものなどが挙げられる。使い捨て式及び再充填式のカミソリを使用することができる。
【００１５】
図１及び２に示される実施形態では、パッケージの主面はパッケージ内に収容された製品の対応する装置要素と同じ形状を有するパッケージ触覚要素を有している。この場合、同じ形状とは、パッケージ触覚要素が同様の２次元形状を共有していることを意味するだけでなく、パッケージキャビティー（４００）内に収容されたカミソリに設けられた対応する要素を強調するようにエンボス加工されていることも意味する。この実施形態では、装置は、ヘッドユニット上に、潤滑ストリップ（２１２）、３枚の刃（２１４）、及びガード（図に示されているが番号は付されていない）の要素を有している。ハンドルもまた、３つの円弧（２２２）の形のグリップ又は他の美的要素を有している。パッケージの主面は、対応するパッケージ触覚要素を形成している。パッケージ触覚要素は外側表面（１４５）上にのみ形成されてよく、又は内側表面（１４７）上にも同様に形成されてよい。前者は、エンボス加工が外側表面の外面に接着される部分であってよく、又は要素は、主面を型成形又は他の形で成形するときに、形状が内側表面から外側表面へと押し出されるようにして形成することができる。
【００１６】
装置は、ハブラシ、ペン若しくは鉛筆などの筆記用具又は化粧用具、又は毛髪除去用の幅広のスクレープ面であってよい。毛髪除去装置の非限定的な例としては、脱毛剤と使用されるもの、若しくは皮膚剥離に使用されるもの、又は安全カミソリなどの刃ユニットを備えたカミソリが挙げられる。毛髪除去ヘッドがカミソリカートリッジである場合、カミソリは、電動式若しくは手動式、使い捨て式、又は再充填式のシステムでありうる。カミソリカートリッジはまた、複数の刃を備えてもよい。例えば、米国特許第７，１６８，１７３号は、ジレット社（The Gillette Company）より市販される、複数の刃を有するカミソリカートリッジを備えた、Ｆｕｓｉｏｎ（登録商標）カミソリについて一般的に記載している。更に、かみそりカートリッジはガード及びひげ剃り補助剤を含んでもよい。各種のカミソリカートリッジを本発明に基づいて使用することができる。フィン、ガード、及び／又はひげ剃り補助剤を含む、及びこれらを含まない適当なカミソリカートリッジの非限定的な例としては、ジレット社（The Gillette Company）によりＦｕｓｉｏｎ（登録商標）、Ｖｅｎｕｓ（登録商標）の製品ラインとして販売されるもの、並びに米国特許第７，１９７，８２５号、同第６，４４９，８４９号、同第６，４４２，８３９号、同第６，３０１，７８５号、同第６，２９８，５５８号、同第６，１６１，２８８号、及び米国特許公開第２００８／０６０２０１号に開示されるものが挙げられる。
【００１７】
本明細書で使用するところの「前方」及び「後方」なる用語は、刃ユニット（すなわち、カミソリカートリッジ）の各要素間の相対的位置を規定する。少なくとも１つのブレードの「前方」の機構は、例えば、装置で処理される表面が少なくとも１つのブレードと接触する前にその機構に接触するように位置付けられる。例えば、装置が、その意図される切断方向にストロークされつつある場合、ガードは刃の前方にある。刃の「後方」にある要素は、装置によって処置される表面が、刃と接触した後でその要素と接触するように配置され、例えば装置がその意図される切断方向にストロークされる場合、キャップは刃の後方に位置する。
【００１８】
一実施形態では、ヘッドユニットは、１つ以上の刃と、前記１つ以上の刃の前方に配置されたガードとを備えるカミソリカートリッジであり、ガードは使用者の皮膚と接触するための少なくとも１つの細長い可撓性突起を有する。一実施形態では、少なくとも１つの可撓性突起は、前記１つ以上の細長い縁部に対して概ね平行な可撓性フィンを有する。別の実施形態では、前記少なくとも１つの可撓性突起は、前記１つ以上の細長い縁部に対して概ね平行ではない少なくとも１つの部分を有する可撓性フィンを有する。適当なガードの非限定的な例としては、現在のカミソリ刃に使用されるものが挙げられ、また、米国特許第７，６０７，２３０号及び同第７，０２４，７７６号（エラストマー性／可撓性フィンバーを開示する）、米国特許出願公開第２００８／００３４５９０号（湾曲したガードフィンを開示する）、同第２００９／００４９６９５（Ａ１）号（上面と下面との間に延在する少なくとも１つの通路を形成するガードを有するエラストマーガードを開示する）に開示されるものが挙げられる。
【００１９】
一実施形態では、ヘッドユニットは、従来のひげ剃り補助剤又は潤滑ストリップなどの少なくとも１つの皮膚係合部材を含む。皮膚係合部材は、いずれの刃の前方及び／又は刃の後方に配置されてもよい。本明細書での使用に適した周知の皮膚コンディショニング組成物の非限定的な例としては、米国特許第７，５８１，３１８号、同第７，０６９，６５８号、同第６，９４４，９５２号、同第６，５９４，９０４号、同第６，３０２，７８５号、同第６，１８２，３６５号、同第Ｄ４２４，７４５号、同第６，１８５，８２２号、同第６，２９８，５５８号、及び同第５，１１３，５８５号、並びに米国特許出願公開第２００９／０２２３０５７号に記載されるようなひげ剃り補助剤及び潤滑ストリップが挙げられる。
【００２０】
ヘッドユニットは、固定して又は着脱可能にハンドルに取り付けられる。かかる取り付けでは、ヘッドユニットをハンドルのドッキング部材に直接取り付けてもよく、又は、ヘッドユニットを相互連結部材に取り付け、次いでこれをハンドルのドッキング部材に連結してもよい。
【００２１】
装置要素は、取り扱い又は使用時に目に見えるか又は使用者の手又は身体が触れることができる、装置上のあらゆる要素でありうる。これらの装置要素は、美的要素及び触覚要素を含みうる。触覚装置要素は、使用者によって触知することができるものであり、単純にエルゴノミックなものか又は本質的に美的なものであってよく、かつ／又は機能的な利点を与えるものであってもよい。ヘッドユニット（図２に２１２、２１４として示される）上に存在させることができる触覚要素の非限定的な例としては、カミソリ刃、潤滑部材、エラストマー又は他の種類のガード、ブラシ又はブリッスルヘッドなどが挙げられうる。装置上の要素は、ヘッドユニット及び／又はハンドル上、好ましくは両方に存在してよい。一実施形態では、装置要素は、ハンドルの一部の周囲、又は外周全体の周囲を包囲することができるグリップ要素（２２２）である。手持ち式装置のグリップ要素の例は一般的に知られている。これらは、使用者が長時間にわたる使用で手に疲労を覚えるような場合、又は製品が濡れているときなど、扱いが困難であったりかつ／又は滑りやすくなったりしうる状況で使用されるようなときに特に有用でありうる。かかる要素は、エラストマーグリップ、クロム又は金属化された要素、ボタン、透明な窓領域などであってよい。要素は、リボン、波状パターン、円、楕円、刻み目パターン、モトリング、クロスハッチング、ディンプリングなどの様々な形状を有しうる。一実施形態では、ハンドル上の触覚要素は、幾何学形状、パターン、アニメのキャラクター、及び更には単語又はレタリングなどの目で認識可能な単純な画像又は写真であってもよい。当業者であれば、装置要素は本質的に触覚可能なものであってよく（使用者に周囲の装置の残りの部分とは異なる感じがするように）、又は、ロゴ、若しくはデザイン、図柄、色のパターン、レタリングなどの場合のように本質的に２次元のものであってもよい点は認識されよう。
【００２２】
一実施形態では、装置ハンドルは、図１及び２に示されるような細長い棒状部材であってよい。これらの種類のハンドルは、懐中電灯、カミソリのハンドル、ハブラシ、並びに、筆記具、調理器具、及びドライバー又は他の器具のような家庭用器具などの日常的な物品に広く見られるものである。本明細書で使用することができる細長い棒型のハンドルの非限定的な具体例としては、Ｍａｃｈ  ３（登録商標）、Ｆｕｓｉｏｎ（登録商標）、ＰｒｏＧｌｉｄｅ（登録商標）、Ｖｅｎｕｓ（登録商標）、Ｅｍｂｒａｃｅ（登録商標）、Ｂｒｅｅｚｅ（登録商標）などの、上記に述べたひげ剃り用カミソリのいずれかに相当するカミソリのハンドルが挙げられる。Ｏｒａｌ  Ｂ、Ｃｏｌｇａｔｅ、Ｃｒｅｓｔなどの一般的なハブラシのハンドルを収容することもできる。これは、ハブラシの場合に特に有用である。
【００２３】
図３及び４に示されるような別の実施形態では、米国特許出願公開第２０１３／００６１４８１号、並びにイーグルトン（Eagleton）らによる米国特許出願第６１／７６６，７９２号及びイーグルトン（Eagleton）らによる同第６１／７６６，９２８号に記載されるように、ハンドルは、両側を把持することができる平らで幅広の基材などの異なる形状を有することができる。図３は、本発明に係る別のパッケージの正面図であり、図４は、Ｂ−Ｂ線に沿った同じパッケージの断面図である。
【００２４】
一実施形態では、パッケージは、前記に面する第１の表面（２２５）を有するディスク形状の基材を含むハンドルを有する装置を収容し、前記装置要素は第１の表面（２２５）上に配置されている。図３及び４に示されるように、このヘッドユニットは、広く市販されている、Ｖｅｎｕｓ  Ｅｍｂｒａｃｅ（登録商標）の製品ラインで販売されるカミソリカートリッジヘッドの単純化版である。この実施形態では、カートリッジヘッドは、カートリッジ上の潤滑要素であるリボン・オブ・モイスチャー（Ribbon of Moisture）により包囲された５枚のカミソリ刃を有している。これらの刃及び／又は潤滑要素を装置要素として用いることができる。ここに示される装置要素もやはり、ハンドル上にグリップパターンを有している。一実施形態では、要素は、ここではリング形状を有するものとして示されているエラストマーグリップのように本質的に触覚可能なものである。他の円弧形（arcoidal）又は直線形の形状も用いることができる。
【００２５】
幾つかの実施形態では、本明細書に述べられる装置と使用することができるグリップパターンは、不規則なパターンを有してもよく、又は蔓状、波形、花柄、又は単純に幾何学形状若しくは繰返すか若しくは繰り返しでないものなどのより大きな図柄のタイプのデザインを形成してもよい。他の実施形態では、グリップパターンは単純なリブ又は円弧であってよく、また、低いグリップ量又はＣｏＦに対して「１」又は「低い」、より高いグリップ機能（すなわちより軟らかいか又はより粘着性がある）に対して「５」又は「高い」といった、付与されたグリップ機能の量を表しうるグリップパターンを有するハンドルも本発明の範囲内にある。上記で説明したように、ロゴ及びブランド名、並びに他の伝達メッセージも用いることができる。一実施形態では、装置要素は前記ハンドル上のエラストマーグリップ要素を含み、前記パッケージ触覚要素は、エラストマーグリップ要素と同じ形状及び色を有するグリップ要素を含む。
【００２６】
一実施形態では、本発明は更に、図４に示されるような、前記パッケージ内に収容された容器（５００）を含む。容器はパッケージ内の装置を格納するために使用することができ、また、パッケージが開封されて処分された後、装置又はその一部を格納するために有効に使用することもできる。かかる容器の非限定的な例としては、Ｖｅｎｕｓ  Ｅｍｂｒａｃｅ（登録商標）によるＳｈｏｗｅｒＰｏｄ（登録商標）、カミソリ又はハブラシのトラベルケース、Ｖｅｎｕｓ  Ｅｍｂｒａｃｅ（登録商標）などの再充填式カートリッジヘッドにしばしば用いられるカートリッジカップ、及び、メイクアップキットと使用することができるコンパクトケースが挙げられる。
【００２７】
装置が容器内に収容され、この容器が次にパッケージ内に収容され、容器が透明ではない一実施形態では、消費者が中に収容された製品の細部を見て理解することが困難でありうる。装置の各要素を理解することは見ることよりも更に困難であり、一層難しいと考えられる。このため、中に収容された主要な要素を使用者が理解できるように、触覚要素を包装上に設けることが有用でありうる。一実施形態では、触覚要素は、ヘッドユニット自体を表すなど、装置の別個の部分、又は、ハンドルの一部、若しくは関節若しくは相互連結部材などのヘッドユニットとハンドルとの間の任意の相互連結部品を実際に表す。
【００２８】
図５、６及び７は、本発明に係る別のパッケージの３つの他の図を示したものである。この場合、パッケージは平らな主面（１４０）を有しており、キャビティーは副面（１５０）内の変形によって形成されている。この場合、主面は、プラスチック又は厚紙シートなどの平らな半剛性材料で形成することができる。副面も同様の材料で形成することができる。ここに示される装置は、ハブラシヘッド及びハンドルを有するハブラシとよく似たものである。パッケージは、２組のブリッスルパターンを更に含むハブラシヘッド（３１０）、及び２個のグリップ要素を有するハンドル（３２０）のパッケージ触覚要素を有している。
【００２９】
図８、９及び１０は、図５のパッケージと似ているが、湾曲したボート型の形状を有する更なる別のタイプのパッケージ上にパッケージ触覚要素を有している。この場合、２枚刃のカミソリヘッドのデザインと似たパッケージ触覚要素が示されている。
【００３０】
本明細書の全体を通じて与えられるすべての最大の数値限界は、すべてのより小さい数値限界を、恰もかかるより小さい数値限界が本明細書に明確に記載されているものと同様にして含むことは理解すべきである。本明細書の全体を通じて与えられるすべての最小の数値限界は、すべてのより大きい数値限界を、恰もかかるより大きい数値限界が本明細書に明確に記載されているものと同様にして含むものである。本明細書の全体を通じて与えられるすべての数値範囲は、かかるより広い数値範囲内に含まれるすべてのより狭い数値範囲を、恰もかかるより狭い数値範囲が本明細書にいずれも明確に記載されているものと同様にして含むものである。
【００３１】
特にそうでない旨の断りのないかぎり、本明細書、実施例、及び特許請求の範囲における明細書中のすべての部、比、及び百分率は、重量基準であり、すべての数値限定は、当該分野で可能な通常の程度の精度で用いられる。更に、本明細書で使用されるとき、ある群がその群の要素のリスト「で構成される（comprising of）」ものとして述べられている場合、その群はまた、群の要素の同じリスト「から本質的になる（consist essentially of）」又は「からなる（consist of）」場合がある。
【００３２】
本明細書に開示される寸法及び値は、記載される正確な数値に厳密に制限されるものとして理解すべきではない。むしろ、特に断らないかぎり、それぞれのかかる寸法は、記載される値とその値の周辺の機能的に同等の範囲との両方を意味するものとする。例えば「４０ｍｍ」として開示される寸法は、「約４０ｍｍ」を意味するものとする。
【００３３】
あらゆる相互参照又は関連特許若しくは特許出願を含む、本明細書に引用される文献はすべて、明白に除外又は限定されている場合を除いて、本明細書中にその全容を援用するものである。いずれの文献の引用も、こうした文献が本願で開示又は特許請求される任意の発明に対する先行技術であることを容認するものではなく、また、こうした文献が、単独で、あるいは他の任意の参照文献との任意の組み合わせにおいて、こうした発明のいずれかを教示、示唆又は開示していることを容認するものでもない。更には、本文書における用語のいずれかの意味又は定義が、援用文献における同一の用語のいずれかの意味又は定義と相反するかぎりにおいて、本文書においてその用語に与えられた意味又は定義が優先するものとする。
【００３４】
以上、本発明の特定の実施形態を図示、説明したが、本発明の趣旨及び範囲から逸脱することなく他の様々な変更及び改変を実施することが可能である点は当業者には自明であろう。したがって本発明の範囲に含まれるこうした変更及び改変はすべて、付属の特許請求の範囲において網羅するものとする。
【図１】
2016539868.tif 000003
【図２】
2016539868.tif 000004
【図３】
2016539868.tif 000005
【図４】
2016539868.tif 000006
【図５】
2016539868.tif 000007
【図６】
2016539868.tif 000008
【図７】
2016539868.tif 000009
【図８】
2016539868.tif 000010
【図９】
2016539868.tif 000011
【図１０】
2016539868.tif 000012
【国際調査報告】
2016539868.tif 000013
2016539868.tif 000014